(57)【特許請求の範囲】
【請求項１】
各々が固有の識別情報を保持する情報保持部を備えた複数の歯科模型が、着脱交換可能に装着される歯科医療用実習模型と、
前記情報保持部から前記識別情報を取得する識別情報取得部と、
前記歯科医療用実習模型を用いて行われる歯科医療実習に関する実習履歴情報を、前記複数の歯科模型毎の前記識別情報と関連づけて取得する実習履歴情報取得部と、
前記歯科医療用実習模型を使って歯科医療実習を行う実習者のＩＤ情報を、前記複数の歯科模型毎の前記識別情報と関連づけて取得する実習者ＩＤ情報取得部と、
前記情報保持部が保持するデータを書き換えるデータ書換部と、
を含み、
前記情報保持部は、
前記歯科模型毎の前記識別情報と関連付けて取得された前記実習履歴情報及び前記実習者のＩＤ情報を保持するとともに、
前記実習履歴情報の読出操作に基づき、前記情報保持部が保持した前記識別情報に関連付けられた前記実習履歴情報及び前記実習者のＩＤ情報が読み出される、歯科医療用実習装置。
【請求項２】
請求項１に記載の歯科医療用実習装置において、
前記情報保持部が、ＲＦＩＤタグを構成する歯科医療用実習装置。
【請求項３】
請求項１または２に記載の歯科医療用実習装置において、
前記実習履歴情報取得部が取得する前記実習履歴情報に基づき、実習内容を評価する評価部をさらに含む歯科医療用実習装置。
【請求項４】
請求項３に記載の歯科医療用実習装置において、
前記評価部は、所定の評価基準との比較に基づいて、前記実習内容の評価を行う歯科医療用実習装置。
【請求項５】
請求項１から４までのいずれか１項に記載の歯科医療用実習装置において、
前記歯科医療用実習模型を使って歯科医療実習を行う実習者のＩＤ情報と、該歯科医療用実習模型に関する前記識別情報とを一体として表示する表示部をさらに含むことを特徴とする歯科医療用実習装置。
【請求項６】
請求項１から５までのいずれか１項に記載の歯科医療用実習装置において、
前記歯科医療用実習模型を使って歯科医療実習を行う実習者のＩＤ情報と、該歯科医療実習に関する前記実習履歴情報とを一体として表示する表示部をさらに含む歯科医療用実習装置。
【請求項７】
請求項３または４に記載の歯科医療用実習装置において、
前記情報保持部は、前記評価部による評価結果を示すデータが記録される記録媒体である歯科医療用実習装置。
【請求項８】
請求項１から７までのいずれか１項に記載の歯科医療用実習装置において、
前記識別情報取得部によって取得される前記識別情報に応じて、複数の実習シナリオの中から１以上の実習シナリオを選択する実習シナリオ選択部をさらに含む歯科医療用実習装置。
【請求項９】
請求項１から請求項８のいずれか１項に記載の歯科医療用実習装置であって、
前記複数の歯科模型が、前記歯科医療用実習模型の異なる部位に装着される歯牙模型を含む、歯科医療用実習装置。
【請求項１０】
請求項１から請求項８のいずれか１項に記載の歯科医療用実習装置であって、
前記複数の歯科模型が、
前記歯科医療用実習模型の同一部位に装着可能であって構成内容が互いに異なる複数の顎模型、
前記歯科医療用実習模型の同一部位に装着可能であって構成内容が互いに異なる複数の上顎模型、または、
前記歯科医療用実習模型の同一部位に装着可能であって構成内容が互いに異なる複数の下顎模型である、歯科医療用実習装置。
【請求項１１】
歯科医療用実習模型であって、
各々が固有の識別情報を保持する情報保持部を備えており、着脱交換可能に装着される複数の歯科模型、
を備え、
前記情報保持部は、
データ書換部によってデータが書き換えられることで、前記複数の歯科模型毎の前記識別情報に関連づけて取得される、前記歯科医療用実習模型を用いて行われる歯科医療実習に関する実習履歴情報、及び、前記歯科医療用実習模型を使って歯科医療実習を行う実習者のＩＤ情報を保持するとともに、
前記実習履歴情報の読み出し操作に基づき、前記情報保持部が保持した前記識別情報に関連づけられた前記実習履歴情報及び前記実習者の前記ＩＤ情報が読み出される、歯科医療用実習模型。
【発明の詳細な説明】
【技術分野】
【０００１】
この発明は医療用実習模型を用いた医療実習に供される医療用実習装置に関する。
【背景技術】
【０００２】
近年、医療に従事する医療従事者の教育手段として、疑似生体模型を使って模擬的な医療実習を行うことのできる医療用実習装置が提案されている。このような医療用実習装置は、例えば特許文献１に開示されている。
【０００３】
特許文献１の医療用実習装置では、人体模型（人間をモデルにした疑似患者体）の顔面の各部を駆動可能に構成することにより、実際の患者が受ける不安感や痛み等の表情、動作を表現できるように構成されている。この医療用実習装置によれば、実習者による診療台や診療器具等の操作に応じて、疑似患者体の表情が変化するため、診療台や診療器具等の不適切な操作を効果的に改善することができる。
【先行技術文献】
【特許文献】
【０００４】
【特許文献１】国際公開第２００８／０２３４６４号パンフレット
【発明の概要】
【発明が解決しようとする課題】
【０００５】
ところで、医療用実習装置においては、コストや設置スペース等の制約から、人体等を模した一台の生体模型を使って様々な医療実習を行えることが望まれる。このため、様々な実習内容のそれぞれに対応する複数種の医療用実習模型と、各医療用実習模型を所定の装着部位に装着するための構成が必要となる。
【０００６】
ところが、従来の医療用実習装置では、装着した医療用実習模型を自動的に特定することが困難なため、オペレータ自身が、装着した医療用実習模型が医療実習の目的に対応したものであるかどうかを直接確認する必要があった。このため、医療用実習模型の種類が増大すると、確認、特定作業が煩雑となる。また、実習歴のない医療用実習模型を用いて医療実習を行なおうとする場合には該医療用実習模型に対応する実習内容の特定が困難となる。また、目的とする医療実習に対応しない医療用実習模型の装着、対応しない場所への医療用実習模型の装着（誤装着）、不完全な装着に起因する医療用実習装置の不具合等が起こるおそれもある。また、医療用実習模型の種類が増大すると、どの医療用実習模型を用いて、どのような医療実習が行われたかを管理することも困難となる。
【０００７】
本願発明は、このような課題に鑑みなされたものであり、複数用意された医療用実習模型を識別し、かつ、各医療用実習模型を使って行われた医療実習の履歴情報を容易に管理できる技術を提供することを目的とする。
【課題を解決するための手段】
【０００８】
上記の課題を解決するため、第１の態様は、歯科医療用実習装置において、各々が固有の識別情報を保持する情報保持部を備えた複数の歯科模型が、着脱交換可能に装着される歯科医療用実習模型と、前記情報保持部から前記識別情報を取得する識別情報取得部と、前記歯科医療用実習模型を用いて行われる歯科医療実習に関する実習履歴情報を、前記複数の歯科模型毎の前記識別情報と関連づけて取得する実習履歴情報取得部と、前記歯科医療用実習模型を使って歯科医療実習を行う実習者のＩＤ情報を、前記複数の歯科模型毎の前記識別情報と関連づけて取得する実習者ＩＤ情報取得部と、前記情報保持部が保持するデータを書き換えるデータ書換部と、を含み、前記情報保持部は、前記歯科模型毎の前記識別情報と関連付けて取得された前記実習履歴情報及び前記実習者のＩＤ情報を保持するとともに、前記実習履歴情報の読出操作に基づき、前記情報保持部が保持した前記識別情報に関連付けられた前記実習履歴情報及び前記実習者のＩＤ情報が読み出される。
【００１０】
また、第２の態様は、第１の態様に係る歯科医療用実習装置において、前記情報保持部が、ＲＦＩＤタグを構成する。
【００１１】
また、第３の態様は、第１または第２の態様に係る歯科医療用実習装置において、前記実習履歴情報取得部が取得する前記実習履歴情報に基づき、実習内容を評価する評価部をさらに含む。
【００１２】
また、第４の態様は、第３の態様に係る歯科医療用実習装置において、前記評価部は、所定の評価基準との比較に基づいて、前記実習内容の評価を行う。
【００１４】
また、第５の態様は、第１から第４までのいずれか１態様に係る歯科医療用実習装置において、前記歯科医療用実習模型を使って歯科医療実習を行う実習者のＩＤ情報と、該歯科医療用実習模型に関する前記識別情報とを一体として表示する表示部をさらに含むことを特徴とする。
【００１５】
また、第６の態様は、第１から第５までのいずれか１態様に係る歯科医療用実習装置において、前記歯科医療用実習模型を使って歯科医療実習を行う実習者のＩＤ情報と、該歯科医療実習に関する前記実習履歴情報とを一体として表示する表示部をさらに含む。
【００１７】
また、第７の態様は、第３または第４の態様に係る歯科医療用実習装置において、前記情報保持部は、前記評価部による評価結果を示すデータが記録される記録媒体である。
【００２０】
また、第８の態様は、第１から第７までのいずれか１態様に係る歯科医療用実習装置において、前記識別情報取得部によって取得される前記識別情報に応じて、複数の実習シナリオの中から１以上の実習シナリオを選択する実習シナリオ選択部をさらに含む。
また、第９の態様は、第１から第８までのいずれか１態様に係る歯科医療用実習装置であって、前記複数の歯科模型が、前記歯科医療用実習模型の異なる部位に装着される歯牙模型を含む。
また、第１０の態様は、第１から第８までのいずれか１態様に係る歯科医療用実習装置であって、前記複数の歯科模型が、前記歯科医療用実習模型の同一部位に装着可能であって構成内容が互いに異なる複数の顎模型、前記歯科医療用実習模型の同一部位に装着可能であって構成内容が互いに異なる複数の上顎模型、または、前記歯科医療用実習模型の同一部位に装着可能であって構成内容が互いに異なる複数の下顎模型である。
また、第１１の態様は、歯科医療用実習模型であって、各々が固有の識別情報を保持する情報保持部を備えており、着脱交換可能に装着される複数の歯科模型、を備え、前記情報保持部は、データ書換部によってデータが書き換えられることで、前記複数の歯科模型毎の前記識別情報に関連づけて取得される、前記歯科医療用実習模型を用いて行われる歯科医療実習に関する実習履歴情報、及び、前記歯科医療用実習模型を使って歯科医療実習を行う実習者のＩＤ情報を保持するとともに、前記実習履歴情報の読み出し操作に基づき、前記情報保持部が保持した前記識別情報に関連づけられた前記実習履歴情報及び前記実習者の前記ＩＤ情報が読み出される。
【発明の効果】
【００２１】
第１の態様に係る歯科医療用実習装置によると、歯科医療用実習模型に関する識別情報と、歯科医療実習に関する実習履歴情報とを関連付けて取得することができる。これにより、歯科医療用実習模型毎に、どのような歯科医療実習が行われたかを容易に管理することができる。
【００２２】
また、第１の態様に係る歯科医療用実習装置によると、複数の歯科模型を組み合わせて歯科医療用実習用模型を構成することによって、多様な歯科医療用実習模型を構成することができる。また、歯科模型自体に識別情報を保持させることで、歯科医療用実習模型に取り付けられている歯科模型を容易に管理することができる。
また、第１の態様に係る歯科医療用実習装置によると、実習者のＩＤ情報と歯科医療用実習模型の識別情報とを関連付けて取得することができる。これにより、各実習者が使用する歯科医療用実習模型を実習者毎に容易に管理することができる。
また、第１の態様に係る歯科医療用実習装置によると、情報保持部に実習履歴情報を示すデータを記録することができるため、どのような歯科医療実習が行われたかを歯科模型毎に容易に管理することができる。
また、第１の態様に係る歯科医療用実習装置によると、情報保持部のデータを書き換えることによって、情報保持部のデータ更新を、歯科医療用実習装置において実施することができる。
【００２３】
第２の態様によれば、ＲＦＩＤの技術を利用することによって、個体識別を簡素な構成で安価に実現することができる。
【００２４】
第３の態様に係る歯科医療用実習装置によると、実習内容を評価することができる。また、この評価結果を利用することによって、実習者の医療技術の向上を図ることができる。
【００２５】
第４の態様に係る歯科医療用実習装置によると、予め決められた評価基準に従って、実習内容を適切に評価することができる。
【００２７】
第５の態様に係る歯科医療用実習装置によると、実習者のＩＤ情報と、該ＩＤ情報に関連付けられた歯科医療用実習模型の識別情報とを表示部において一体的に表示することができる。これにより、各実習者が使用する歯科医療用実習模型、あるいは、各歯科医療用実習模型ごとの実習者に関する使用歴を容易に把握することができる。
【００２８】
第６の態様に係る歯科医療用実習装置によると、実習者のＩＤ情報と、実習履歴情報とを表示部において一体的に表示できる。これにより、実習者毎に、どのような歯科医療実習が行われたかを容易に把握することができる。
【００３０】
第７の態様に係る歯科医療用実習装置によると、情報保持部に評価結果を示すデータを記録することができるため、歯科医療実習の評価結果を、歯科模型毎に容易に管理することができる。
【００３３】
第８の態様に係る歯科医療用実習装置によると、取得される識別情報に応じて、適切な実習シナリオが選択されるため、実習シナリオに従う歯科医療実習を円滑に実行することができる。
第９の態様に係る歯科医療用実習装置によると、複数の歯牙模型の組合せを変更することによって、様々なパターンの歯科医療用実習模型を構成することができるため、多様な歯科実習を容易に実施することができる。
【図面の簡単な説明】
【００３４】
【図１】第１実施形態に係る医療用実習装置の全体を示す外観図である。
【図２】図１に示したＰＣに接続される構成を示したブロック図である。
【図３】医療用実習模型と人体模型との接続例を示すブロック図である。
【図４】図３に示した医療用実習模型のコネクタと装着部位のコネクタを接続する配線を示す模式図である。
【図５】医療用実習模型と人体模型の接続例を示すブロック図である。
【図６】頭部模型の口腔部分である上顎装着部位に装着される上顎模型を示す側面図である。
【図７】新規に医療用実習模型が装着されたときの医療用実習装置の動作を示す流れ図である。
【図８】第２実施形態に係る医療用実習模型と生体模型部品との接続例を示すブロック図である。
【図９】相互に構成の異なる３種類の顎模型を示す側面図である。
【発明を実施するための形態】
【００３５】
以下、図面を参照して実施形態を詳細に説明する。ただし、この実施形態に記載されている構成要素はあくまでも例示であり、本発明の範囲をこれのみに限定する趣旨のものではない。
【００３６】
｛１．  第１実施形態｝
図１は、第１実施形態に係る医療用実習装置Ｍの全体を示す外観図である。また、図２は、図１に示したＰＣ４１に接続される構成を示したブロック図である。本実施形態に係る医療用実習装置Ｍは、歯科分野の模擬的な治療実習を行うのに適した構成を備えている。医療用実習装置Ｍは、診療器具１１ａ〜１１ｅを備えたトレーテーブル１と、人間の患者をモデルにした人体模型２と、人体模型２を固定または載置して診療を行うための診療台３と、ＧＵＩ（Ｇｒａｐｈｉｃａｌ  Ｕｓｅｒ  Ｉｎｔｅｒｆａｃｅ）として各種情報を表示し、人体模型２に対する各種指令を受け付ける情報処理装置４とを備えている。
【００３７】
トレーテーブル１は、テーブル１ａの上方に表示部５が設けられており、患者のカルテを呼び出して表示したり、実習中の診療器具類の操作内容等の実習に関連する情報をモニタリングしたりすることが可能となっている。
【００３８】
トレーテーブル１は、診療台３にアーム（図示せず）を介して回動可能に取り付けたトレーテーブル１に設けられているテーブル１ａの手前側に器具ホルダー１ｂを備えている。器具ホルダー１ｂには、診療器具１１ａ〜１１ｅが取り上げおよび収納可能に取り付けられている。器具ホルダー１ｂは、図１のようにトレーテーブル１に設けられるものの他、診療台３に設けられていてもよい。
【００３９】
診療器具１１ａ〜１１ｅは、器具ホルダー１ｂから取り上げられたことを検出して駆動したり、フートコントローラ１２の操作に基づいて駆動したり、もしくは診療器具類自体に設けられた操作手段の操作に基づいて駆動するように構成される。診療器具１１ａ〜１１ｅは、水供給源、エア供給源やエア吸引手段等に適宜接続されているが、この接続機構については公知の技術を含む種々の技術を利用することができる。
【００４０】
診療器具１１ａ〜１１ｅは、例えばエアータービンハンドピース、マイクロモータハンドピース等の切削工具やスケーラ、スリーウエイシリンジ、バキュームシリンジが該当する。なお、診療器具１１ａ〜１１ｅは、これらに限定されるものではなく、口腔カメラや光重合照射器（いずれも図示せず）等であってもよい。これら診療器具類の作動状態は、各診療器具１１ａ〜１１ｅまたはトレーテーブル１等に設けられた診療器具駆動検出部１１１によって監視され、各診療器具類の作動状態を示す駆動情報が情報処理装置４に収集される。
【００４１】
診療器具駆動検出部１１１は、例えば診療器具が歯切削用診療器具等の回転駆動部を有する場合、回転数、または、回転数に相当する電圧値もしくは電流値等を駆動情報として取得する。またその他の駆動情報として、診療器具作動時の、エア圧、エア流量、周波数、振動数等が取得されてもよい。さらに、診療器具１１ａ〜１１ｅが人体模型２に接触する際に作用する抑圧力（トルク値）が取得されてもよい。また、診療器具の動作を制御するフートコントローラ１２の操作信号が、駆動情報として取得されてもよい。
【００４２】
人体模型２は、頭部模型２ａと、胴体模型２ｂと、左右の腕模型２ｃと、左右の脚部模型２ｄとで構成されている。人体模型２は、模擬的な医療実習の内容に対応するよう、患部等の処置対象部をモデルにした医療用実習模型２１が装着される。
【００４３】
医療用実習模型２１には、医療実習中に施術される処置（例えば治療）内容を検出するために、各種センサ２１１（処置検出部）が取り付けられている。センサ２１１によって取得された検出情報は、ＰＣ４１に収集される。
【００４４】
なお、医療用実習模型２１が受け付けた処置内容を検出するための検出手段としては、様々なものが想定される。例えば医療用実習模型が歯牙模型である場合には、歯牙模型等に圧力センサや衝撃センサ等を設け、切削状態を検出するようにすること等が考えられる。このようなセンサ２１１は、検出する内容に応じて、医療用実習模型２１の適宜の位置に設けられる。
【００４５】
前記のように各種センサ２１１で検出した処置内容に応じて、頭部模型２ａの顔面の表情を変化させて、実際の患者に診療を行なう際に想定される患者の表情や反応を再現することができるので、実習者に対してリアルな医療実習を提供できる。例えば、切削実習時に、歯牙に適正でない圧力や衝撃が加えられる等の不適正な処置が行なわれた場合、圧力センサや衝撃センサがその処置の状態を検知し、頭部模型２ａの顔面を苦痛の表情に変えたり、苦痛を訴えるように腕模型２ｃを動かしたり、発声によって苦痛を訴えたりすることができる。なお、このような表情を表現するための構成については後述する。
【００４６】
人体模型２は、人体に酷似した外観にするため、頭髪となるカツラが被せられるかもしくは植毛が施され、人工皮膚を被せられることが好ましい。つまり人体模型２は、機械系の部品で骨格を形成したものではなく、人工皮膚や人工頭髪を被せて人体に極めて酷似させた、いわゆるアンドロイド型のロボットとして構成されることが好ましい。
【００４７】
人体模型２は、実習中、人間の患者と同様に診療台３に載置されており、種々の処置を受けることが可能に構成されている。人体模型２には、その姿勢や、顔の表情を変化させるため機械的、電気的または流体的なエネルギー（作動媒体）等を供給する駆動源が接続されている。人体模型２は、診療台３と一体型もしくは連動可能に構成されていてもよいし、また独立して動作するように構成されていてもよい。
【００４８】
例えば、頭部模型２ａには、顔面の表情を変化させる模型駆動機構２Ａが内蔵される。模型駆動機構２Ａは、頭部模型２ａの顔面の各部位（眼球、瞼、眉、頬、口、唇および首）を駆動する駆動機構で構成されている。模型駆動機構２Ａは、眉の上下駆動、瞼の開閉駆動、眼球の上下左右駆動、口の開閉駆動、首の前後左右駆動等によって、人間と同様の顔面表情を再現させる。なお、上述の顔面の各部位のうち一部のみを駆動できるように構成されていてもよい。模型駆動機構２Ａの具体的構成については、本願出願人に係る特許文献１に記載された構成や、これに類似する各種技術を適宜利用することができる。
【００４９】
また、頭部模型２ａのうち上述した駆動部位以外の場所を駆動可能にすることで、顔の表情が変化するように構成されてもよい。また、胴体模型２ｂ、腕模型２ｃ、脚模型２ｄを動作させることで、人体模型２が例えば腕模型２ｃ等の体の一部で反応を表現するようにすることもできる。人体模型２は、模擬的に処置を受ける患者の感情を表現できるのであれば、どのように構成されていてもよい。
【００５０】
この模型駆動機構２Ａは、例えば、センサ２１１の検出信号に基づいて駆動されたり、あるいは、オペレータによる入力部４３等を介した操作入力に基づいて駆動されたりする。したがって、実習者が不適切な処置（例えば、実習目的に沿わない不必要な治療行為、診療器具１１ａ〜１１ｅ等を患部以外に不用意に接近または接触させる行為、人体模型２の患部とは異なる部分に接触する行為等）をセンサ２１１で検出したり、あるいはオペレータが目視で確認したりすることによって、模型駆動機構２Ａを適宜駆動させ、人体模型２の表情を変化させることができる。これにより、実習者は、人体模型２の表情に基づいて、自身が行った行為が不適正かどうかをその場で認識できるため、実習者の診療技術の向上を図ることができる。
【００５１】
なお、本願におけるオペレータとは、入力部４３などＧＵＩの操作者を意味する。したがって、実習者、実習評価者、教官、または試験監督者など、入力部４３などＧＵＩの操作者の限りにおいては、いずれの者もオペレータとなりうる。
【００５２】
診療台３は、基台３０に昇降可能に載置された座部シート３ａと、その座部シート３ａの後方に連接された傾動可能な背板シート３ｂと、その背板シート３ｂの上端に連接された傾動あるいは伸縮可能なヘッドレスト３ｃとを備えている。また好適には、診療台３の近傍に、口腔内を濯ぐ際等に給水する給水栓と排唾鉢とを備えるスピットン３ｄが設けられる。
【００５３】
診療台３には、好ましくは診療状況に応じて、最適位置に制御するため座部シート昇降手段、背板シート傾倒手段およびヘッドレスト傾倒手段が設けられる。これらの駆動は、診療台３近傍に設けられた操作スイッチ類（図示省略）で操作されてもよいし、フートコントローラ１２によって制御されるようにしてもよいし、トレーテーブル１に設けた操作スイッチ類（図示省略）等によって制御されるようにしてもよい。座部シート昇降手段や背板シート傾倒手段、ヘッドレスト傾倒手段には、従来の油圧シリンダや電動モーター等を含む種々の動力源を利用し得る。
【００５４】
診療台３には、駆動部の動作状態を検出するための姿勢検出部３１１が設けられ、姿勢検出部３１１によって取得された検出情報が姿勢データとして情報処理装置４に集められる。具体的に、姿勢検出部３１１は、角度検出センサやポテンショメータ等で構成されており、座部シートの昇降量や、背板シートやヘッドレストの傾倒量及び傾倒角度等を検出情報として情報処理装置４に送信する。
【００５５】
情報処理装置４は、ＣＰＵ（Ｃｅｎｔｒａｌ  Ｐｒｏｃｅｓｓｉｎｇ  Ｕｎｉｔ）やメモリ等を備えた一般的なコンピューターで構成されるＰＣ（Ｐｅｒｓｏｎａｌ  Ｃｏｍｐｕｔｅｒ）４１と、液晶モニター等のディスプレイで構成される表示部４２と、キーボード、マウス等の入力デバイスで構成される入力部４３を備えている。ＰＣ４１は、人体模型２から提供される各種信号を演算処理し、その演算処理結果を表示部４２に表示する。なお、ＰＣ４１は、その機能の一部または全部が人体模型２の一部に組み込まれるように構成されていてもよい。また、ＰＣ４１によって演算処理された、人体模型２から提供される各種信号の演算処理結果を、表示部５が表示できる設計にすることも可能である。また、表示部は、音声表示のような形態にすることもできる。
【００５６】
情報処理装置４は、表示部４２に各種情報を表示し、入力部４３を介してオペレータの各種指令を受け付ける。情報処理装置４は、表示部４２に実習時の人体模型２の受診状況や実習内容の評価状況等を表示するとともに、必要な情報を随時呼び出して表示する。なお、表示部４２がタッチパネルディスプレイで構成されることによって、入力部４３の機能の一部または全部を有していてもよい。
【００５７】
情報処理装置４には、実習を評価する実習評価者が評価結果を入力するための評価入力部４４が有線的または無線的に接続されている。評価入力部４４は、実習評価者が、実習者の行った実習内容の評価を情報処理装置４に対して入力するための入力装置である。図１に示したように、評価入力部４４が複数の入力部で構成されることで、複数の実習評価者が同時に評価入力を行うことができる。ただし、この入力部は必ずしも複数設ける必要は無く、単数であってもよい。なお、評価入力の方法としては、例えば実習内容毎に予め設定された採点項目毎に、マル・バツで評価するものや、多段階評価したりするものでもよいし、また、テキスト入力を可能とすることで実習評価者のコメントを記録できるようにしてもよい。
【００５８】
なお、本実施例では、医療用実習装置Ｍに評価入力部４４を設ける形態を示しているが、実習評価者が手動での評価入力を行なうための評価入力部４４は設けられていなくてもよく、例えば、外部の評価装置によって実習内容を評価し、その評価の情報を、医療用実習装置に設けた外部データ入力部（不図示）等から、情報処理装置４に取り込むことができる構成にすることもできるし、医療用実習装置Ｍに設けられた例えば情報処理装置４を構成する評価部４１５によって、所定の評価基準を参照した評価入力が自動的になされる構成にすることもできる。
【００５９】
ＰＣ４１には、ハードディスク等のストレージで構成される記憶部４５が接続されている。図２に示したように、記憶部４５には、実習用プログラムや、パーツ登録情報、制御プログラムや実習者ＩＤ情報が格納されている。また、記憶部４５には、実習中等にＰＣ４１が取得する各種データ（実習履歴情報等）が保存される。なお、記憶部４５は、情報処理装置４の一部であるような構成でもよい。また、記憶部４５は、インターネット等のネットワークを介して、ＰＣ４１と接続されていてもよい。このような場合、記憶部４５に対して、ＰＣ４１以外の他のＰＣからアクセスさせることができ、データ取得や発信の自由度を高めることができる。また、記憶部４５は、複数の記憶装置で構成され、それぞれがＰＣ４１とネットワークで接続されていてもよい。
【００６０】
実習用プログラムは、実習シナリオの進行を制御するために、ＰＣ４１のＣＰＵが実行するプログラムである。この実習シナリオは、医療実習で実習者、または、実習者及び患者（人体模型２）が基本的に行う行為や発声等を時系列に整理した情報である。医療用実習装置では、例えば、う蝕治療、印象採得、形成、口腔検査、麻酔、ラバーダム防湿等の医療実習を行うための実習シナリオが用意される。実習シナリオについては、例えば本願出願人に係る特開２０１０-５５０６８号公報に開示された実習シナリオ、もしくはこれに類似するものを適宜採用することができる。
【００６１】
パーツ登録情報は、人体模型２に装着可能な医療用実習模型２１に関する情報の集合である。具体的に、パーツ登録情報は、後述する医療用実習模型２１毎に割り振られた識別情報（模型ＩＤ情報）と、その識別情報を持つ医療用実習模型２１が装着されるべき装着部位、および、その識別情報を持つ医療用実習模型２１を使って行われる医療実習を規定した実習シナリオが、相互に関連付けされて登録された情報となっている。
【００６２】
制御プログラムは、ＰＣ４１が、人体模型２の動作を制御したり、人体模型２に装着される医療用実習模型２１から各種情報を取得したり、取得した各種情報と記憶部４５に格納された各種データとを情報処理装置４で照合、特定したり、各種情報同士を関連付けて取得したり、取得した情報を処理して表示部４２に表示したりする動作を実施するためのプログラムである。
【００６３】
図２に示したように、ＰＣ４１は、照合部４１０、実習者ＩＤ情報取得部４１１、識別情報取得部４１２、実習シナリオ選択部４１３、実習履歴情報取得部４１４、評価部４１５、書換制御部（データ書換部）４１６として機能する。これらの機能は、ＰＣ４１が備えるＣＰＵが所定のプログラムに従って動作することにより実現される。
【００６４】
実習者ＩＤ情報取得部４１１は、実習者のＩＤ情報を取得する。実習者のＩＤ情報としては、例えば実習者の顔情報、指紋情報、声紋情報または網膜情報等の生体情報としてもよい。ただし、ＩＤ情報は、実習者毎に割り振られたユーザ名であってもよいし、各実習者が所有するＩＤカード（学生証等を含む）等に記憶された氏名、性別、生年月日、入学日、クラス、履修学科、履修単位、担当教官等のような各種個人情報であってもよい。なお、医療用実習装置Ｍには、例えば指紋情報等を取得するためのセンサ機器や、学生証などのＩＤカードに備えられたＩＣチップのような記憶部が有する各情報を取得するための接触型／非接触型の読み取り機器といったような、取得する実習者のＩＤ情報の形式に応じた取得装置が適宜設けられるが、入力部４３、撮像部６４または集音部６５を取得装置として利用することも可能である。なお、実習者ＩＤ情報取得部４１１は、必ずしも必須のものではない。また、実習者のＩＤ情報の取得については、例えば医療用実習模型２１の識別情報あるいは適宜に設けた取得装置（不図示）の情報をトリガーとして、予め記憶部４５に格納されているデータベースから、該識別情報に対応する実習者のＩＤが制御プログラムによって呼び出されるようにしてもよい。また、人体模型２に備えられた情報保持部２１３で保持されている実習者のＩＤ情報や、外部の記憶装置（不図示）に保存された実習者のＩＤ情報や、あるいは適宜に設けた取得装置（不図示）等から取得した実習者のＩＤ情報が、直接取得され、情報処理装置４に取り込まれるようにしてもよい。
【００６５】
識別情報取得部４１２は、医療用実習模型２１に割り振られた固有の識別情報を取得する。図２に示した例では、医療用実習模型２１固有の識別情報を保持する情報保持部２１３が、医療用実習模型２１に取り付けられている。識別情報取得部４１２は、情報保持部２１３から識別情報を取得する。なお、実習者ＩＤ情報取得部４１１は、取得された実習者のＩＤ情報と、識別情報取得部４１２によって取得される識別情報とを関連付けて取得する。これにより、どの実習者がどの医療用実習模型２１を使用したかを容易に管理することができる。取得された医療用実習模型２１の識別情報は、照合部４１０に渡される。照合部４１０は、取得された識別情報に一致する識別情報を、パーツ登録情報において照合する。これにより、人体模型２に装着された医療用実習模型２１の種別等がＰＣ４１において認識される。
【００６６】
実習シナリオ選択部４１３は、識別情報取得部４１２によって取得される医療用実習模型２１の識別情報から、記憶部４５に格納されたパーツ登録情報を参照することによりその識別情報に対応付けられた実習シナリオを選択する。詳細には、実習シナリオを規定する実習用プログラムを選り分け選択する。つまり、医療用実習装置Ｍでは、実習シナリオ選択部４１３によって、装着された医療用実習模型２１の種別に応じて、実行すべき実習シナリオが自動判別される。なお、自動判別される実行すべき実習シナリオは、必ずしも単一のシナリオとは限らず、複数の候補が選択されてもよい。複数の候補が選択された場合には、例えばオペレータが入力部４３などＧＵＩを用いて実行する実習シナリオを特定することができる。
【００６７】
実習履歴情報取得部４１４は、人体模型２に装着された医療用実習模型２１を使って行われる医療実習の各種履歴情報（実習履歴情報）を取得する。この実習履歴情報には、例えば実習が行われた際の、日時情報、場所情報、実習者ＩＤ情報、実行された実習シナリオに関する情報、または、実習状況を示すデータ等が含まれる。なお、必ずしもこれら全てが実習履歴情報に含まれる必要はなく、一部のみであってもよい。ここで、「実習状況を示すデータ」には、例えば、診療器具駆動検出部１１１により取得される駆動情報、処置内容を検出するために医療用実習模型２１に取り付けられたセンサ２１１によって取得される検出情報、姿勢検出部３１１によって取得される姿勢データ、撮像部６４によって取得される動画または静止画データ、および、集音部６５によって取得される音声データ等が該当する。実習履歴情報取得部４１４は、このような実習履歴情報と、医療実習に使用された医療用実習模型２１について識別情報とを制御プログラムによって関連付けて取得し、記憶部４５に格納する。これにより、どのような医療実習が行われたかを、医療用実習模型２１毎に管理することが容易となる。
【００６８】
評価部４１５は、実習履歴情報取得部４１４が取得する実習履歴情報に基づき、実習内容を評価する。評価部４１５は、例えば実習用プログラムの一部として、あるいは独立したデータとして別途に、記憶部４５内に格納された所定の評価基準（不図示）に従って医療用実習装置Ｍ自体が医療実習の評価を行う。例えば、実習シナリオ毎に定められる実施項目が、医療実習において実施されたかどうかで評価される。また各実施項目の達成度合いに応じて、数値または甲乙丙等の多段階的な評価を与えるようにしもよい。なお、評価部４１５は、センサ２１１、姿勢検出部３１１、撮像部６４または集音部６５にて取得されるデータを元にして、実習内容を評価する。また、評価部４１５は、評価入力部４４や外部データ入力部から入力された入力情報を実習評価情報として取得するようにしてもよい。実習評価情報には、評価者や評価手段や評価対象となったデータの取得元等に関する情報が含まれていてもよい。取得された実習評価情報は、記憶部４５に格納される。このような評価結果を利用することによって、実習者の医療技術の向上を図ることができる。
【００６９】
書換制御部４１６は、医療用実習模型２１に取り付けられた情報保持部２１３が保持するデータの書換えを制御する。具体的には、書換制御部４１６は、実習履歴情報取得部４１４が取得した実習履歴情報を示すデータの書き込みを制御する。本実施形態では、実習履歴情報に関連するデータとして、記憶部４５に格納された実習履歴情報へのリンクを示す実習履歴リンク情報が情報保持部２１３（記録媒体）に記録される。リンク情報とは、記憶部４５における格納場所を示す情報である。なお、実習履歴リンク情報ではなく、実習履歴情報そのものが情報保持部２１３に書き込まれるようにしてもよい。
【００７０】
また、書換制御部４１６は、評価部４１５が取得した実習評価情報を示すデータを情報保持部２１３に対して記録する制御を行う。本実施形態では、実習評価情報に関連するデータとして、記憶部４５に格納された実習評価情報へのリンクを示す実習評価リンク情報が情報保持部２１３（記録媒体）に書き込まれる。なお、実習評価リンク情報ではなく、実習評価情報そのものが情報保持部２１３に書き込まれるようにしてもよい。
【００７１】
このように情報保持部２１３に実習履歴情報または実習評価情報に関連するデータを記入することによって、該情報保持部２１３が取り付けられた医療用実習模型２１を使ってどのような医療実習が誰によって行われたかを、医療用実習模型２１毎に管理することが容易になるという効果がある。また、このような医療実習に関る各種情報を可搬にすることができる。このため、前記医療用実習模型２１とこれに対応する医療用実習装置Ｍを備えた施設であれば、医療実習の実施場所を選ばずに、医療実習の実施とその記録を実現することができる。したがって、実習生の所属する機関や場所にとらわれない利便が図られたり、使用する医療用実習装置を特定の装置Ｍにとらわれない利便が図られたり、柔軟な実習が可能になる効果がある。
【００７２】
ＰＣ４１は、センサ２１１からの検出情報に基づいて、模型駆動機構２Ａを制御する。なお、入力部４３を介したオペレータからの操作入力に基づき、ＰＣ４１が模型駆動機構２Ａを操作できるようにしてもよい。これによれば、実習評価者や実習教官等のオペレータが、実習者の状況を把握しながら、人体模型２の表情を変化させたり姿勢を変えたりする等、人体模型２の動作を制御することができる。また、人体模型２の各部に内蔵した各種のセンサを呼び出して、その検知信号を表示部４２等に表示できるようにしてもよい。これによれば、実習中の人体模型２の受診状態をより詳細に把握することができる。
【００７３】
図１に戻って、診療台３には、地面に対して垂設される治療用スタンドポール６が付設されている。治療用スタンドポール６は、途中で分岐しており、それぞれの先端部に回動可能に突出したアーム６１，６２が設けられている。アーム６１には、実習中に照明する無影灯６３が設けられている。また、アーム６２には、実習者の診療器具１１ａ〜１１ｅの扱いや動き、人体模型２の姿勢、動き、表情の変化等を撮像する撮像カメラ等で構成された撮像部６４が取り付けられている。医療実習中に撮像部６４によって撮影された画像は、ＰＣ４１に送られた後、記憶部４５に保存（録画）される。保存された画像は、医療実習の終了後に実習者の手技や人体模型２の様子を見直す際に利用することができる。なお、治療用スタンドポールは、壁等に設けることもできる。
【００７４】
図１では、人体模型２の上部に設けられた１つの撮像部６４のみを図示しているが、人体模型２を側面部から撮影するカメラや、人体模型２の口腔内から撮影するカメラ等、様々なアングルから実習行為を撮影するように構成されていてもよい。またカメラを複数設けて撮影対象を三次元データとして検出するようにしてもよい。また撮影に用いるカメラは、好ましくは広角からズームまでの機能を搭載したものが用いられる。
【００７５】
また、アーム６２には、実習者が人体模型２等に向かって発する音声を集音するマイクで構成される集音部６５と、音声を出力するスピーカーで構成される音声出力部６６が設置されている。なお、実際の診療状況を再現するために、マイクを人体模型２の耳や肩近傍等に設けてもよい。また、スピーカーは、人体模型２の口内に設けられてもよい。さらにマイクやスピーカーは、診療台３等のその他の場所に設けられてもよい。
【００７６】
医療実習では、実習者が人体模型２に対して声かけを行ったりする場合がある。この実習者の音声は、集音部６５によって検出され、例えば公知の音声認識技術を用いた音声認識プログラム等を実行させて、検出した音声を解析したデータ（音声情報）を取得し、情報処理装置４に音声情報が送信される。また、人体模型２が患者として、実習者に対して発声する場合には、ＰＣ４１の制御に基づいて、音声出力部６６から音声が出力される。この発声内容は、実習用プログラムで規定された実習シナリオに基づいている。
【００７７】
なお、本実施例の医療用実習装置Ｍでは撮像部６４、集音部６５、音声出力部６６を搭載している形態を示しているが、これらは、装置外部に別途設ける構成でも、１つも設けない構成でもよく、自由に設計できる。
【００７８】
図３は、医療用実習模型２１ａと人体模型２との接続例を示すブロック図である。なお、医療用実習模型２１ａは、図２に示した医療用実習模型２１の一形態である。
【００７９】
医療用実習模型２１ａは、処置を検出するセンサ２１１に相当する複数のセンサ２１１ａ，２１１ｂと、これらセンサ２１１ａ，２１１ｂから出力される検出信号をプリアンプ等の処理をして情報処理装置４に順次送信する信号処理部２１２と、医療用実習模型２１ａ固有の情報を保持する情報保持部２１３と、医療用実習模型２１ａと人体模型２との間を電気的に接続するコネクタ２１４ａとを備えている。コネクタ２１４ａは、医療用実習模型２１ａが取り付けられる人体模型２の装着部位２２ａに設けられたコネクタ２２１ａに接続される。
【００８０】
図４は、図３に示した医療用実習模型２１ａのコネクタ２１４ａと装着部位２２ａのコネクタ２２１ａとを接続する配線を示す模式図である。コネクタ２１４ａ，２２１ａ間を繋ぐ配線は、一本の信号線２４Ｌと、接地線２５Ｌと、電源供給線２６Ｌとで構成されている。なお、コネクタ２１４ａ，２２１ａは、例えば、機械的且つ電気的な接続手段として、プラグとジャックとで構成され、結合部における信号線２４Ｌ、接地線２５Ｌおよび電源供給線２６Ｌが、例えば、コネクタ２１４ａ，２２１ａのうち一方に形成されたピンＰを他方に形成された孔に挿入すること等で構成される。
【００８１】
信号線２４Ｌは、情報保持部２１３や、信号処理部２１２から出力される電気信号を、情報処理装置４に向けて送信するための配線である。医療用実習装置Ｍでは、この一本の信号線２４Ｌを介して、各センサ２１１ａ，２１１ｂから出力される検出信号や、情報保持部２１３から出力される識別情報及び校正情報、あるいは医療実習に係るその他の各種情報が送信される。複数のセンサ２１１ａ，２１１ｂから同時に情報処理装置４に送信される場合には、信号処理部２１２の動作により、各センサ２１１ａ，２１１ｂからの検出信号が時分割的に送信される。このように、１本の信号線２４Ｌでデータ通信を行うようにすることで、医療用実習模型２１ａ内の配線やコネクタ２１４ａ，２２１ａ間の接続を簡素化することができる。したがって、センサの数が増減しても、柔軟に対応することが可能となる。このような単一接点での信号の通信方法は、例えば、１−Ｗｉｒｅ（マキシム  インテグレイテッド  プロダクツ，インコーポレイテッドの登録商標）に関連する技術を適用することで実現することが可能である。
【００８２】
なお、信号線２４Ｌと電源供給線２６Ｌとを１本の線で兼用されるように構成してもよい。また、信号線２４Ｌのような１本の通信線ではなく、信号処理部２１２や、情報保持部２１３から延びる信号線のそれぞれをＰＣ４１に対して個別に接続するようにし、各種信号をパラレルに送信するようにしてもよい。この場合、コネクタ２１４ａ，２２１ａ間のピン数増大や配線の複雑化するものの、各部から出力される信号をＰＣ４１に直接送信することができる。
【００８３】
また、情報保持部２１３や、信号処理部２１２から出力される電気信号を、情報処理装置４に向けて送信するための信号線については、上記の１−Ｗｉｒｅの他にも、ＣＡＮ（Ｃｏｎｔｒｏｌｌｅｒ  Ａｒｅａ  Ｎｅｔｗｏｒｋ）や、Ｉ2Ｃ（Ｉｎｔｅｒ−Ｉｎｔｅｇｒａｔｅｄ  Ｃｉｒｃｕｉｔ、コーニンクレッカ  フィリップス  エレクトロニクス  エヌ  ヴィの登録商標）やこれらに関連する公知の技術を適用することもできる。前記ＣＡＮあるいはＩ2Ｃの技術を適用する場合、少なくとも二本の信号線と、接地線と、電源供給線とで構成される形態になる。これらの技術を用いても、医療用実習模型２１ａおよび人体模型２内の配線やコネクタ２１４ａ，２２１ａ間の接続を簡素化することが可能である。また通信部材も安価なため、製品のコストダウンを図ることができる。
【００８４】
また、医療用実習模型２１ａについて、センサ２１１ａ，２１１ｂと、信号処理部２１２と、情報保持部２１３と、コネクタ２１４ａ間の方法には、上記のような１−Ｗｉｒｅを信号線として使用することで医療用実習模型２１ａ内の配線を簡素にすることができるので望ましい。これ以外にも信号線には上記のようなＣＡＮ、Ｉ2Ｃ等の公知の技術を用いることもできる。医療用実習模型２１ｂ（後述の図５参照）のセンサ２１１，２１１と、信号処理部２１２と、情報保持部２１３と、送受信部２１ｂ間の通信についても、医療用実習模型２１ａと同様の構成が可能である。
【００８５】
情報保持部２１３は、医療用実習模型２１ａに割り当てられた識別情報と、医療用実習模型２１ａに設けられたセンサ２１１ａ，２１１ｂの校正情報を保持している。図３に示した人体模型２の装着部位２２ａには、医療用実習模型２１ａの他にも、医療用実習模型２１ａとは異なる構成を有する医療用実習模型２１を着脱交換することが可能となっている。識別情報は、このような構成の異なる医療用実習模型２１の個体毎に割り振られる固有の模型ＩＤ情報であり、医療用実習模型２１の個体を特定するために利用される。
【００８６】
また、校正（キャリブレーション）情報は、各センサ２１１ａ，２１１ｂから出力された検出信号を補正するための情報となっている。一般的に、センサは、検出感度等が個体毎に違う場合があるため、ＰＣ４１が、この校正情報に基づき、各センサ２１１ａ，２１１ｂの検出信号を補正することによって、センサ２１１ａ，２１１ｂの検出誤差を低減することができる。なお、校正情報は必ずしもＰＣ４１に送信される必要はなく、例えば各センサ２１１ａ，２１１ｂの検出信号が信号処理部２１２等で校正された後に、ＰＣ４１へ送信されるようにしてもよい。
【００８７】
本実施形態では、人体模型２に装着される医療用実習模型２１に応じて、自動的にＰＣ４１がセンサ２１１（センサ２１１ａ，２１１ｂ）の校正情報を取得できるように構成されている。このため、オペレータが、医療用実習模型２１毎が持つ校正情報を、装着時に逐一手作業で登録することを省略することができる。したがって、医療用実習模型２１毎に検出情報の補正を容易に行えるとともに、人為的ミスの発生を抑制することができる。
【００８８】
情報保持部２１３（記録媒体）は、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリで構成されており、保持するデータを適宜書換え可能となっている。本実施形態では、上述の書換制御部４１６の制御に基づき、情報保持部２１３に対して実習履歴リンク情報または実習評価リンク情報が書き込まれる。あるいは、情報保持部２１３には実習者ＩＤリンク情報等が更に書き込まれてもよい。
【００８９】
情報保持部２１３（記録媒体）をＥＥＰＲＯＭで構成した場合、通信の接続形態が有線となるため、例えば１−Ｗｉｒｅ、ＣＡＮ、Ｉ2Ｃ等の公知の技術を用いることで医療用実習模型２１ａおよび医療用実習模型２１ａの接続部の配線を簡素化できる。このため、センサの数の増減にも柔軟に対応できる。なお、情報保持部２１３は、ＥＥＰＲＯＭに限定されるものではなく、その他記憶手段（フラッシュメモリ等）を採用することも可能である。
【００９０】
情報保持部２１３が保持するデータの書換えについて、ＧＵＩの操作を行うことによって医療用実習模型の識別情報等の書換えや消去が可能な構成にすれば、例えば、歯牙模型を、う蝕治療用のものから、印象採得用のものに取り替えたときに、その変更した情報をＧＵＩで入力操作して医療用実習模型２１の情報保持部２１３の情報を書換えすることができる。また、情報保持部２１３や記憶部４５に格納された各種情報に誤りがあった場合などに、正しい情報に修正するため情報を書換えすることができる。よって、容易に情報を適宜更新可能となる効果が更に奏される。あるいは、顎模型を使用する実習者（学生など）が卒業するなどして、該顎模型が使用されなくなった場合に、ＧＵＩを操作して、医療用実習模型に関する各種情報を保持する情報保持部２１３または記憶部４５から該情報を消去することができるので、実習者の個人情報や実習履歴等の各種情報が不要な漏洩を防止できる。
【００９１】
なお、情報保持部２１３に記憶される情報は、上述した識別情報、校正情報、実習履歴リンク情報および実習評価リンク情報に限定されるものではない。例えば、情報保持部２１３に、実習者のＩＤ情報を記憶させておき、これを実習者ＩＤ情報取得部４１１が取得するように構成することも可能である。この場合、ある特定人のＩＤ情報を情報保持部２１３に記憶させることによって、その情報保持部２１３が取り付けられた医療用実習模型２１ａを該特定人専用のものとして認証し、使用することが可能となる。
【００９２】
なお、図４に示した電源供給線２６Ｌは、医療用実習模型２１ａに設けられたセンサ２１１ａ，２１１ｂや信号処理部２１２、情報保持部２１３に電力を供給するための配線である。なお、医療用実習模型２１ａ自体に電池等の電源が搭載してもよい。この場合、人体模型２から電力を供給する必要がなくなるため、電源供給線２６Ｌを省略することも可能である。
【００９３】
図５は、医療用実習模型２１ｂと人体模型２の接続例を示すブロック図である。図５に示した医療用実習模型２１ｂは、図２に示した医療用実習模型２１の一形態であり、図３に示した医療用実習模型２１ａとほぼ同様の構成を備えている。ただし、医療用実習模型２１ｂは、コネクタ２１４ａの代わりに、無線通信を行うための送受信部２１４ｂを備えて電気的に接続している。また、医療用実習模型２１ｂが装着される人体模型２の装着部位２２ｂには、送受信部２１４ｂと無線通信を行う送受信部２２１ｂと、装着センサ２２２とが備えられている。なお、以下の説明において、図２に示した医療用実習模型２１ａが備える要素と同様の機能を有する要素については、同符号を付して適宜説明を省略する。
【００９４】
送受信部２１４ｂは、信号処理部２１２に接続されている。センサ２１１ａ，２１１ｂから出力された検出信号は、信号処理部２１２で処理されて、送受信部２１４ｂに入力される。また、送受信部２１４ｂは、情報保持部２１３にも接続されており、情報保持部２１３に格納された識別情報、校正情報、あるいは医療実習に係るその他の各種情報を受け取ることができる。送受信部２１４ｂは、送受信部２２１ｂとの間で所定の通信プロトコルに従って無線通信を行う。
【００９５】
送受信部２２１ｂは、ＰＣ４１に接続されており、送受信部２１４ｂから送信されたセンサ２１１ａ，２１１ｂの検出信号や情報保持部２１３に格納された識別情報または校正情報、あるいは医療実習に係るその他の各種情報をＰＣ４１に出力する。また、送受信部２２１ｂは、ＰＣ４１からの読取信号を送受信部２１４ｂに転送する。これにより、情報保持部２１３に格納された各種情報が読み取られる。
【００９６】
装着センサ２２２は、ＰＣ４１に接続されており、医療用実習模型２１ｂが装着部位２２ｂに装着されたか否かを検出する装着検出手段を構成する。装着センサ２２２は、例えば光センサで構成される。具体的には、装着センサ２２２から出射された光が医療用実習模型２１ｂで反射する光を検出することによって、医療用実習模型２１ｂの装着を検出する。また、医療用実習模型２１ｂの装着により、出射された光の光路が遮断されたかどうかを検出するようにしてもよい。もしくは、装着センサ２２２を圧力センサで構成し、医療用実習模型２１ｂの装着時に作用する圧力を検出するようにしてもよい。また装着センサ２２２を、医療用実習模型２１ｂの装着により生じる回路内の電流量の変化を検出するように構成してもよい。
【００９７】
なお、装着センサ２２２は、医療用実習模型２１ｂ側に設けられていてもよい。この場合、装着されたことを示す信号が、送受信部２１４ｂを介して送受信部２２１ｂに送信されるようにすればよい。また、装着センサ２２２は、適宜省略してもよい。また、送受信部２１４ｂ，２２１ｂ間で通信可能となったことをＰＣ４１が検出することによって、医療用実習模型２１ｂが装着されたことを検出するようにしてもよい。また、装着センサ２２２は、図３の形態においても適宜の形態で設けることができる。
【００９８】
医療用実習模型２１ｂは、図３に示した医療用実習模型２１ａとは異なり、人体模型２との間で無線通信を行う。このため、図４に示した信号線２４Ｌを省略することが可能となるため、医療用実習模型２１ｂおよび装着部位２２ｂの接続部分の構成を簡略化することができる。
【００９９】
なお、医療用実習模型２１ｂが行う無線通信については、様々な通信方式を採用し得るが、その一例として、ＲＦＩＤ（Ｒａｄｉｏ  Ｆｒｅｑｕｅｎｃｙ  ＩＤｅｎｔｉｆｉｃａｔｉｏｎ）の技術を用いることができる。この場合、情報保持部２１３がＲＦＩＤタグの記憶素子を構成し、送受信部２１４ｂがＲＦＩＤタグのアンテナを構成することとなる。すなわち、この実施例で用いられるＲＦＩＤタグは、情報保持部２１３及び送受信部２１４ｂを有するものとなる。また、送受信部２２１ｂは、情報保持部２１３に対して、データを読み出したりまたは書き換えたりするリーダー装置またはライター装置として構成される。このようなＲＦＩＤの技術を採用することによって、医療用実習模型２１ｂの個体識別を簡素な構成でかつ安価に実現することができる。
【０１００】
なお、センサ２１１ａ，２１１ｂから出力された検出信号が信号処理部２１２で処理されて送受信部２１４ｂに入力される構成において、信号処理部と送受信部との間の通信は有線でも無線であってもよい。また、送受信部は複数のチャンネルを有していてもよい。
【０１０１】
また、医療用実習模型２１が備える通信の接続形態（コネクタ２１４ａや２１４ｂ）のかわりに、送信部のみで構成する通信の形態を採ることもできる。この医療用実習装置Ｍの実施例の場合は、医療用実習模型２１の情報保持部２１３が識別情報のみを保持する形態となる。そして、医療用実習装置Ｍは、情報保持部２１３の保持する医療用実習模型２１の個体を特定する識別情報を、情報処理装置４に送信することによって、該識別情報が割り当てられた医療用実習模型に関連する一連の情報、具体的には、パーツ登録情報、実習履歴情報、実習評価情報、実習者ＩＤ情報、その他各種情報が呼び出される構成となる。すなわち、医療用実習模型２１に関する各種情報は、模型自体が有する識別情報によって情報処理装置４において呼び出され、情報の書換え、更新された情報の保存等は、全て情報処理装置４の中で行われる構成となる。このとき、医療用実習模型２１の識別情報は、該模型を特定する情報であるとともに、該模型に関連する一連の情報を情報処理装置４に呼び出すためのリンク情報となる。
【０１０２】
図６は、頭部模型２ａの口腔部分である上顎装着部位２２Ａに装着される上顎模型２１Ａを示す側面図である。図６中、上顎装着部位２２Ａの一部（線影部分）は、断面で示されている。
【０１０３】
上顎模型２１Ａは、人体の上顎を模したものとして構成されている。上顎模型２１Ａは、例えば、男性、女性、成人、小人、老人、狭小顎，反対咬合等に合わせて構成してもよい。上顎模型２１Ａは、図３に示した医療用実習模型２１ａに対応する構成を有しており、頭部模型２ａに対して着脱交換可能に構成されている。上顎模型２１Ａが備える歯切削センサ２１１Ａ、信号処理部２１２Ａ、情報保持部２１３Ａおよびコネクタ２１４Ａは、図３に示したセンサ２１１ａ（またはセンサ２１１ｂ）、信号処理部２１２、情報保持部２１３およびコネクタ２１４ａにそれぞれ対応している。また、上顎装着部位２２Ａに設けられたコネクタ２２１Ａは、図３に示したコネクタ２２１ａに対応している。
【０１０４】
上顎模型２１Ａに取り付けられた複数の歯牙模型２１０Ａは、上顎の歯列模型を形成している。複数の歯牙模型２１０Ａの一部は、歯科実習における処置対象物として、う蝕等の患部を模した形態を有しており、その基底部近傍に歯切削センサ２１１Ａが取り付けられている。歯切削センサ２１１Ａは、検出信号を信号処理部２１２Ａに送信され、コネクタ２１４Ａ，２２１Ｄを介してＰＣ４１に送信される。歯切削センサ２１１Ａは、歯牙模型２１０Ａが診療器具（切削器具）によって切削されるときの切削状況（深さや位置等）を検出するように構成される。
【０１０５】
図３では、１つの歯切削センサ２１１Ａのみを図示しているが、複数の歯牙模型２１０Ａのそれぞれに対応する位置に歯切削センサ２１１Ａが設けられていてもよい。また、切削以外の処置を検出する圧力センサや衝撃センサ等を取り付けることによって、切削以外の処置内容を検出できるようにしてもよい。歯切削センサ２１１Ａの検出方式としては、例えば、電気抵抗の変化を検出するセンサや振動、圧力、光、温度等を検出するセンサを採用することができる。
【０１０６】
装着部位２２Ａに対し上顎模型２１Ａを固定する方法としては、例えば、機械的な接続方法としては、どちらか一方に設けた爪状部材を他方に引っ掛けることで固定するようにしてもよいし、ボルト部材とナット部材等の固定手段により固定してもよいし、もしくは、磁石等の磁性部材を取り付けて磁力により固定するようにしてもよい。好ましくは、少なくとも歯科実習中にずれたり外れたりすることがなく、且つ着脱作業が容易な構成が採用される。
【０１０７】
なお、図６に示した上顎模型２１Ａは、う蝕治療の歯科実習に対応する医療用実習模型２１の一例であり、その他の医療実習を行うように医療用実習模型２１を構成することももちろん可能である。例えば、歯周病検査や、印象採得や咬合採得等の歯型の採取、インプラント治療等、各種の歯科実習の目的に適するように医療用実習模型２１を構成することができる。例えば、歯周病検査の場合、歯牙模型２１０Ａの周囲に診療器具（歯周ポケット測定用プローブ）の挿入を検知する歯周ポケットセンサ等が設けられる。印象採得の場合には、口腔部の奥側の所定位置に印象材の流れ込みを検知するための印象材センサ等が設けられる。また、インプラント治療の場合、上顎洞の位置に診療器具のドリルが到達したかどうかを検出するインプラントセンサが設けられる。さらに、上顎模型２１Ａは、窩洞形成、根管洗浄、スケーリング等の歯科実習に対応するように構成されていてもよい。
【０１０８】
図６に示した上顎模型２１Ａは、コネクタ２１４Ａ，２２１Ａを介して有線通信を行うように構成されているが、コネクタ２１４Ａ，２２１Ａの代わりに図５に示した送受信部２１４ｂ，２２１ｂを利用することで、無線通信を行うように構成してもよい。また、医療用実習模型２１は、上顎模型２１Ａのような上顎に関するものに限定されるものではなく、下顎のものとして構成されていてもよい。
【０１０９】
医療用実習模型２１は、他にも眼球、耳鼻咽喉または口唇等をモデルにした模型として構成されていてもよい。さらに、医療用実習模型２１は疾患の持つ心臓や肺等の内蔵をモデルにした模型として構成されてもよい。医療用実習装置Ｍでは、このような多種多様な医療用実習模型２１が用意されている場合においても、情報保持部２１３が保持する識別情報を取得することによって、それぞれを容易に識別することができる。
【０１１０】
＜医療用実習装置Ｍの動作フロー＞
次に、医療用実習模型２１が人体模型２に装着され医療実習が行われるときの医療用実習装置Ｍの動作フローについて説明する。
【０１１１】
図７は、新規に医療用実習模型２１が装着されたときの医療用実習装置Ｍの動作を示した流れ図である。なお、以下に説明する医療用実習装置Ｍの動作は、特に断らない限り、制御プログラムに従って動作するＰＣ４１によって制御されるものとする。
【０１１２】
まず、医療用実習装置Ｍは、通信経路（ＰＣ４１と医療用実習模型２１とを接続する通信線）上において、識別情報を探索する（ステップＳ１１）。ユーザ（実習者等）が、人体模型２に医療用実習模型２１を装着すると、ＰＣ４１からの読み取り命令に基づき、医療用実習模型２１の情報保持部２１３から識別情報が読み取られ、ＰＣ４１に送信される。
【０１１３】
識別情報取得部４１２で識別情報を取得すると、ＰＣ４１は、その識別情報が新規のものであるかどうかをＰＣ４１の照合部４１０で判定する（ステップＳ１２）。本実施形態に係る医療用実習装置Ｍでは、既に装着されている医療用実習模型の識別情報は、装着パーツ情報として記憶部４５等に逐次登録される（図２参照）。この装着パーツ情報は、装着された医療用実習模型２１の識別情報と、その装着部位とが関連付けられて記録されたデータとなっている。照合部４１０は、この装着パーツ情報を参照することによって、取得された識別情報が新規のものかどうかを判定する。これにより、取得された識別情報から特定される医療用実習模型が、新規のものであるかどうか判定される。新規の識別情報でない場合は、照合部４１０は、既に取得された識別情報であると判定し、再度ステップＳ１１に戻って、新規の識別情報の取得を継続して行う。
【０１１４】
ステップＳ１２において、取得された識別情報が新規である場合には、照合部４１０は、その新規の識別情報を装着パーツ情報として記憶部４５に格納する（ステップＳ１３）。
【０１１５】
次に、ＰＣ４１は、新規に取得された識別情報から該当する医療用実習模型をＰＣ４１の照合部４１０で特定し、その医療用実習模型が装着されたことを表示部４２に表示する（ステップＳ１４）。本実施形態では、表示部４２がディスプレイで構成されているため、映像で通知されることとなる。ただし、この通知方法は、映像によるものに限られるものではない。例えば、表示部４２を、音声を出力する手段として構成し、音声で通知するようにしてもよい。
【０１１６】
またステップＳ１４の通知の際に、識別情報が取得された医療用実習模型２１が、本来装着されるべき装着部位とは異なる位置に装着されていることが検出された場合、表示部４２にその旨が表示されてもよい。なお、図５に示したコネクタ２１４ａ，２２１ａの接続が不十分なため通信が途切れる等の障害が発生した場合に、医療用実習模型２１の装着不良を通知するようにしてもよい。また、図６に示した送受信部２１４ｂ，２２１ｂ間で通信可能ではあるが、装着センサ２２２による装着が検出されない場合、または、装着センサ２２２にて装着が検出されているが、送受信部２１４ｂ，２２１ｂ間で通信できない場合に、医療用実習模型２１の装着不良を通知するようにしてもよい。
【０１１７】
次に、医療用実習装置Ｍは、実習シナリオ選択部４１３により、予め準備された実習用プログラムの中から特定された医療用実習模型２１に対応する実習用プログラムを選別し、実行する実習シナリオの選択を実習シナリオ選択部４１３で行う（ステップＳ１５）。ＰＣ４１は、記憶部４５に格納されたパーツ登録情報を参照することによって、医療用実習模型２１に対応する実習用プログラムを選別する。
【０１１８】
ステップＳ１５において、複数の実習シナリオが選択された場合、ＰＣ４１が、表示部４２に実行すべき実習シナリオを選択するための選択画面を表示するようにしてもよい。この選択画面に基づき、オペレータが、目的の実習シナリオを、入力部４３を操作して選択することで、効率的に医療実習を行うことができる。ＰＣ４１が選択された実習シナリオを適宜実行することで、医療実習が開始されることとなる。
【０１１９】
ステップＳ１５において選択される実習シナリオが１つしかない場合には、ＰＣ４１がその実習シナリオを自動的に実行するようにしてもよい。また、表示部４２や入力部４３等を介して、その実習シナリオの実行についての承認を、オペレータから取得するようにしてもよい。
【０１２０】
仮にオペレータが実習目的とは異なる医療用実習模型２１を人体模型２に装着してしまうと、ＰＣ４１が医療実習の目的に対応しない１以上の実習シナリオをオペレータに通知する場合がある。この場合、オペレータは、この通知を確認することで、装着が不適正であることを認識することができる。または、実習シナリオを選択できないようにすることによって、装着の不適性を通知する方式にすることもできる。
【０１２１】
なお、医療用実習装置Ｍは、実習者ＩＤ情報取得部４１１により、実習者のＩＤ情報も取得する（ステップＳ１６）。上述したように、ここでは実習者の顔情報、指紋情報または網膜情報等の生体情報、または、その他の実習者を特定し得るＩＤ情報が取得される。取得された実習者のＩＤ情報に基づいて、ＰＣ４１の照合部４１０による、例えば記憶部４５等に予め登録された各種データとの照合から、該当する実習者の氏名や顔写真等の個人情報が検索、特定され、表示部４２等の表示装置に表示されるようにしてもよい。このとき、装着されている医療用実習模型２１に関する識別情報も一体的に表示することによって、どの実習者がどの医療用実習模型２１を使用するかを容易に把握することができる。なお、実習者のＩＤ情報の取得は、医療用実習模型２１の装着前、医療実習中、もしくは、医療実習後等、任意のタイミングで行うことが可能である。また、実習者のＩＤ情報は、上記の構成の他にも、医療用実習模型２１の一部をなす情報保持部２１３自体で保持されるという構成が可能である。この場合、データベースなどから呼び出すことなく、情報保持部２１３から予め登録された直接実習者のＩＤ情報が取得され得る。
【０１２２】
次に、医療用実習装置Ｍは、実習履歴情報取得部４１４により、医療実習に関する実習履歴情報を取得する（ステップＳ１７）。上述したように、実習履歴情報には、例えば実習が行われた際の、日時情報、場所情報、実習者情報、実行された実習シナリオ、および、実習状況を示すデータ等が含まれる。取得された実習履歴情報は、実習履歴情報取得部４１４で医療用実習模型２１の識別情報に関連付けされて、記憶部４５に格納される。なお実習中または実習後に、実習者のＩＤ情報と実習履歴情報を表示部４２等に一体的に表示するようにすることで、実習者毎にどのような医療実習が行われたかを容易に把握することができる。このとき、識別情報も表示するようにすることで、どの実習者が、どの医療用実習模型２１を使って、どのような実習を行ったかを容易に把握することが可能となる。
【０１２３】
また、ＰＣ４１は、評価部４１５により、所定基準に基づいて、実習内容を評価する。上述したように、評価部４１５は、実習履歴情報に基づいて実習内容を評価した実習評価情報を取得する。また、評価部４１５は、評価者が評価入力部４４を介して入力する入力情報を実習評価情報として取得するようにしてもよい。このようにして取得された実習評価情報は、医療用実習模型２１の識別情報に関連付けされて記憶部４５に格納される。
【０１２４】
医療実習が完了すると、ＰＣ４１は、書換制御部４１６により、ステップＳ１７，ステップＳ１８にて取得された実習履歴情報または実習評価情報を示すデータ（ここでは、リンク情報）を、医療用実習模型２１の情報保持部２１３に記録する。これにより、情報保持部２１３のデータが更新される（ステップＳ１９）。情報保持部２１３から実習履歴リンク情報または実習評価リンク情報を読み出すことで、医療用実習模型２１を使って行われた医療実習の内容やその評価内容を容易に取得し、管理することができるようになる。あるいは、識別情報に関連付けされた実習履歴情報または実習評価情報を、医療用実習模型の情報保持部２１３に格納すれば、リンク情報を読み出すのではなく、情報保持部２１３から直接これらの情報を取得し管理することも可能となる。
【０１２５】
従来の医療用実習装置においても、医療用実習模型を疑似生体模型に装着する際、オペレータによって、その医療用実習模型が装着されたことを医療用実習装置に対し通知（登録）する操作がなされる。この操作は、例えば、生体模型に装着可能な医療用実習模型の一覧が画面に表示され、この一覧から装着した医療用実習模型を選択することで完了する。ところが、疑似生体模型に装着可能な医療用実習模型の種類が増大すると、一覧から装着した医療用実習模型を特定することが煩雑となり、また、登録ミス等も発生しやすくなる。また、一度に装着する医療用実習模型が複数ある場合等にも、登録作業が煩雑となり、ミスも発生しやすくなる。これに対し、本実施形態に係る医療用実習装置Ｍは、識別情報に基づいて、装着された医療用実習模型２１を自動的に特定することが可能となるため、登録作業を簡潔に行うことができるとともに、登録ミスの発生を効果的に低減することができる。したがって、目的に応じた医療実習を円滑に、且つ適正な実習環境の下で、効率よく行うことができるようになる。
【０１２６】
｛２．第２実施形態｝
次に、第２実施形態に係る医療用実習装置Ｍについて説明する。なお、本実施形態の説明において、第１実施形態と同様の機能を有する要素については同一符号を付してその説明を省略する。以降の説明においても同様とする。
【０１２７】
図８は、第２実施形態に係る医療用実習模型２１ｃと生体模型部品２１０ｃとの接続例を示すブロック図である。医療用実習模型２１ｃには、図３に示した医療用実習模型２１ａが備えるセンサ２１１ａ，２１１ｂ、信号処理部２１２、情報保持部２１３およびコネクタ２１４ａを備えた生体模型部品２１０ｃが接続される。また、生体模型部品２１０ｃが装着される医療用実習模型２１ｃの装着部位２２ｃには、コネクタ２１４ｃと接続されるコネクタ２２１ｃが設けられている。
【０１２８】
生体模型部品２１０ｃに取り付けられた情報保持部２１３は、生体模型部品２１０ｃを識別するための固有の識別情報を保持している。したがって、情報保持部２１３が保持する識別情報に基づき、医療用実習模型２１ｃに取り付けられた生体模型部品２１０ｃを容易に特定することが可能となっている。また、情報保持部２１３には、実習履歴リンク情報または実習評価リンク情報が書き込まれる。このため、このリンク情報を参照することで、医療用実習模型２１ｃを使った医療実習に関する実習履歴情報や実習評価情報を容易に取得することが可能となっている。情報保持部２１３は、更に実習者ＩＤリンク情報もしくはその他情報を取得するためのリンク情報を保持していてもよい。また、実習履歴情報、実習評価情報、実習者ＩＤ情報等が情報保持部２１３に格納されていれば、各リンク情報からではなく、情報保持部２１３から直接これらの情報を取得することが可能となる。
【０１２９】
図８では、医療用実習模型２１ｃに対して１つの生体模型部品２１０ｃを接続する例を示しているが、生体模型部品２１０ｃは複数接続できるように構成されていてもよい。また図８に示した生体模型部品２１０ｃは、医療用実習模型２１との間で、コネクタ２１４ａ，２２１ａを介して有線通信を行うように構成されている。しかしながら、コネクタ２１４ａ，２２１ａの代わりに、図４に示した送受信部２１４ｂ，２２１ｂを採用することによって、生体模型部品２１０ｃと医療用実習模型２１ｃとの間で無線通信が行われるように構成することも可能である。
【０１３０】
また、医療用実習模型２１ｃ自体に、医療用実習模型２１ａ（または医療用実習模型２１ｂ）と同様にセンサ２１１、情報保持部２１３を備えてもよい。この場合、生体模型部品２１０ｃが装着された医療用実習模型２１ｃ自体にも、識別情報が割り当てられる。
【０１３１】
図９は、相互に構成の異なる３種類の顎模型２１Ｐ，２１Ｑ，２１Ｒを示す側面図である。顎模型２１Ｐ，２１Ｑ，２１Ｒは、それぞれ、人体の顎を模したものであり、正常な歯牙を模した歯牙模型２１０Ｓと、歯科実習において処置対象となるう蝕等の患部を模した歯牙模型２１０Ｔとが取り付けられている。歯牙模型２１０Ｓ，２１０Ｔは、切歯、犬歯、小臼歯および大臼歯といったように、顎模型２１Ｐ，２１Ｑに対して取り付けられる位置に対応した形状の歯牙模型として構成されている。また、顎模型２１Ｒには、舌模型２１０Ｕが取り付けられている。図９に示した例では、顎模型２１Ｐ，２１Ｑ，２１Ｒが図８に示した医療用実習模型２１ｃに対応しており、歯牙模型２１０Ｓ，２１０Ｔおよび舌模型２１０Ｕが図８に示した生体模型部品２１０ｃに対応している。
【０１３２】
顎模型２１Ｐ，２１Ｑ，２１Ｒは、いずれも頭部模型２ａの同一部位（口腔部分）に装着される医療用実習模型２１ｃに相当する。しかしながら、顎模型２１Ｐ，２１Ｑ，２１Ｒは、患部を模した歯牙模型２１０Ｔの取付位置の組合せが相互に異なっている。このように、歯牙模型２１０Ｓ，２１０Ｔの組合せを変更するだけで、多様なパターンの顎模型を用意することができる。
【０１３３】
また、歯牙模型２１０Ｓ，２１０Ｔは、センサ２１１ａ，２１１ｂとして圧力センサや衝撃センサ等が設けられている。歯科実習中に歯牙模型２１０Ｓ，２１０Ｔに対して行われた処置内容がこれらのセンサによって検出され、ＰＣ４１に送信されることとなる。
【０１３４】
また、舌模型２１０Ｕは、その外側が、ゴム、シリコンまたは合成樹脂素材等の弾性素材で構成されており、内部に所定範囲内の圧力を検出するシート状の圧力センサが設けられている。また、舌模型２１０Ｕには、その先端部を、所定方向に曲げたり、揺動させたり、または、上下もしくは左右に延ばしたり引っ込めたりするアクチュエータが内蔵される。このアクチュエータは、ＰＣ４１またはその他の制御部によって制御され、圧力センサが検出する検出信号に応じて舌模型２１０Ｕを変形させる。このような舌模型２１０Ｕを取り付けることによって、実習中に実習者の処置内容に応じて舌模型２１０Ｕを変形させることができ、よりリアルな医療実習を提供することが可能となる。また、実習者が不適切に舌へ接触することがないように意識して医療実習を行うことができるため、診療技術を向上させることができる。
【０１３５】
顎模型２１Ｐ，２１Ｑ，２１Ｒのそれぞれを頭部模型２ａに装着した場合、歯牙模型２１０Ｓ，２１０Ｔおよび舌模型２１０Ｕの各々が備える情報保持部２１３に保持されている識別情報が、ＰＣ４１に送信される。したがって、ＰＣ４１においては、装着された顎模型（医療用実習模型２１ｃ）が、どのような生体模型部品を備えているのかを容易に特定することができる。
【０１３６】
本実施形態に係る医療用実習装置Ｍでは、３種類の顎模型２１Ｐ，２１Ｑ，２１Ｒを使って、歯科実習の試験を行うことも可能である。顎模型２１Ｐ，２１Ｑ，２１Ｒを外観上区別できない模型として構成した場合、試験監督者も該顎模型２１Ｐ，２１Ｑ，２１Ｒを容易に区別することが困難となる。これにより、試験を受ける実習者に対しては、顎模型２１Ｐ，２１Ｑがランダムに渡されることとなるため、公平性を保つことができる。この構成に関するその他の使用方法として、例えば、次のようなものが考えられる。
【０１３７】
まず、ＯＳＣＥ（Ｏｂｊｅｃｔｉｖｅ  Ｓｔｒｕｃｔｕｒｅｄ  Ｃｌｉｎｉｃａｌ  Ｅｘａｍｉｎａｔｉｏｎ；客観的臨床能力試験，通称オスキーといわれる、医師および医学生の臨床能力、臨床実技を客観的に評価するための評価方法）などの臨床能力試験において、試験時に各実習者に配布される顎模型（実習者が普段使用している模型でも、試験用に別途用意した模型でもよい）に装着する歯牙模型や舌模型の症例の構成を、試験センター等の機関で顎模型ごとに作製する。
【０１３８】
次に試験センターで試験用に作製された顎模型は、試験受験者（実習者）に対してランダムに配布される。従って、顎模型を配布する試験監督者も配布される受験者も、顎模型の構成内容（具体的な症例）が判らない状態で医療実習の試験が行われる。このような試験は一般的に「ダブルブラインドテスト」といわれ、受験者への実習課題の漏洩や受験者間の情報の漏洩や試験監督者の恣意的指導等の望ましくない事態を回避することができるため、極めて公正に試験を実施できる。
【０１３９】
また、試験で使用する顎模型について、歯牙模型や舌模型等の症例を含む情報は、試験中に読取りできないようなデータ管理にしておくことが望ましい。試験受験者は、医療用実習装置Ｍに医療用実習模型２１（顎模型）をセットし、医療実習を行なう。このように行なわれた医療実習について、医療実習に関する一連の情報が、実習履歴情報として取得される。例えば、情報処理装置４等にインターネット、イントラネット等の通信手段を設けて、医療用実習装置Ｍが外部との通信可能な設計にすれば、顎模型の識別情報と関連付けられた実習履歴情報のデータを試験センターに送信できるので、正しく症例の見立てができているか、適切な処置が行なわれているか等の、行われた医療実習に対する評価付けを試験センターで実施することができる。なお、評価入力の方法については本発明の実施例を参照されたい。
【０１４０】
以上より、本発明の特徴である、医療用実習模型２１自体が識別情報と医療用実習履歴情報とを関連付けて保持できるという構成を利用することによって、試験監督者と受験者は問題の具体的内容が判らない状態で医療実習の試験を開始し、試験後は、試験監督者や受験者を介することなく医療実習の評価付けを完了することができる。従って、恣意性を排除した一連の情報管理を行うことができ、極めて公平で客観的な臨床能力試験を実践することができる。将来的にも、（歯科）医師国家試験に手技等技能分野の試験が導入された場合には、本発明を用いることが期待できる。
【０１４１】
また、本発明の医療用実習装置は、以上のような構成から、ｅラーニング（ｅｌｅｃｔｒｏｎｉｃ  ｌｅａｒｎｉｎｇ）の教材として利用すれば学習者（実習者）の医療実習の訓練に対して非常に有効的である。例えば、次のような使用方法によって、本発明をｅ−ｌｅａｒｎｉｎｇに利用することができる。
【０１４２】
医療実習に関する一連の実習履歴情報は情報保持部２１３、記憶部４５、あるいはインターネットやイントラネットなどの通信手段を介したサーバーなどで保持、管理することができる。まず、この実習履歴情報の一部または全部を読み出し、通信手段を介してパーソナルコンピュータの表示手段の画面上に表示する。パーソナルコンピュータには、ＰＣ４１を含む情報処理装置４を用いても、医療用実習装置Ｍに有線もしくは無線で通信可能に別途接続されているその他のＰＣを用いるのでもよく、ＧＵＩとして用いられるものなら好ましい。
【０１４３】
ここで、画面上に表示された医療実習に関する各種情報（日時、施設、実習者の個人情報、担当教官、医療実習の内容、評価、総合的な成績・取得単位等々）を実習者が確認することによって実習者自身のカリキュラムの進捗状況、学習（実習内容）の習熟度、苦手分野等の実習者の学習に役立つ情報が把握できる。
【０１４４】
次に、自身が苦手な実習内容や弱点となる手技などを強化したり、医療実習の予習や復習などをしたりするために、ｅ−ｌｅａｒｎｉｎｇ用のソフトがインストールされたパーソナルコンピュータでＧＵＩを使った自習を行なう。例えば、ソフトの復習プログラムを起動すると、実習者の医療用実習模型が保持する実習履歴情報を参照し、過去に行なった医療実習のうち、評価の低かった実習シナリオの一覧を示してくれる。
【０１４５】
苦手な実習シナリオ一覧から復習したい実習シナリオをＧＵＩ上で単数または複数選択すると、選択された苦手な実習シナリオに関して、実習に関する「一問一答」、模擬実習のアニメーションを再生したりや実施した実習シナリオの履歴を再現したりして問題がある箇所をＧＵＩ上で指摘する「間違い探し」、実習ステップを並べ替えて正しい実習の順序にする「並べ替え」など、様々なアプリケーションでｅ−ｌｅａｒｎｉｎｇを行うことができ、実習者の自習によって、弱点の克服、さらには能力の強化に利用することができる。
【０１４６】
よって、本発明の医療用実習装置Ｍを利用すれば、場所や時間を選ばずに、各学習者（実習者）が自身の課題に対する達成度を把握した上で医療実習に関するより効果的な自習や補助学習を行うことができる。
【０１４７】
｛３．  変形例｝
以上実施形態について説明したが、本発明は上記実施形態のものに限定されるものではない。
【０１４８】
例えば、第１実施形態に係る医療用実習装置Ｍにおいては、トレーテーブル１と人体模型２と診療台３とが一つずつ備えられ、一台の情報処理装置４によって管理される構成であるが、この態様以外にも、例えば、トレーテーブル１と人体模型２と診療台３との組合せが複数備えられ、複数のトレーテーブル１と人体模型２と診療台３との組合せが一台の情報処理装置によって管理される構成の医療用実習装置Ｍであってもよい。あるいは、トレーテーブル１と人体模型２と診療台３と、これらを管理する情報処理装置４の組合せが複数台備えられ、それぞれの情報処理装置４がネットワークで通信可能な構成とされ、全体として一つの医療用実習装置をなす態様であってもよい。
【０１４９】
また、第１実施形態に係る医療用実習模型２１の誤装着を防止するために、取付部の構造やコネクタ形状を、医療用実習模型２１毎に固有のものとしてもよい。このように構成することで、例えば、上顎模型や下顎模型等は形態が似ているものの装着部位が異なる。このような場合に、誤装着を効果的に防止できる。
【０１５０】
また、図９に示した舌模型２１０Ｕは、主に患者の舌の動きを再現することを目的として設けられている。しかしながら、この舌模型２１０Ｕの代わりに、舌癌、舌苔、舌の口内炎等の症状をモデルにした舌模型を用意することによって、舌の症状特有の治療を目的とした医療実習を効果的に行うこともできる。また、大きい舌や小さい舌、長い舌や短い舌、厚い舌や薄い舌、幅広の舌や幅狭の舌等、様々な形状の舌模型２１０Ｕを装着してもよい。
【０１５１】
また、医療用実習模型２１として、例えば、乳癌、乳腺症、乳腺嚢胞等の症状をモデルにした胸部模型をそれぞれ用意し、胸部の装着部位にそれぞれに装着することによって、胸部の触診や外科的治療等の模擬実習を効果的に行うことができる。
【０１５２】
また、上記実施形態の人体模型２は、患者の身体全体をモデルにした模型としているが、患者の身体の一部として構成されていてもよい。また、人体模型２は、何らかの疾患を持った患者をモデルにしたものに限られるものではなく、健康な人の身体をモデルにした生体模型であってもよい。このような生体模型は、各種検査等を目的とする医療実習を行う際に特に有用である。さらに、人体模型２は人間をモデルにしたものに限られるものではなく、人以外の動物をモデルにした生体模型であってもよい。このような生体模型は、獣医学分野の診療を模擬的に行う医療実習等において有用である。
【０１５３】
なお、上記各実施形態及び各変形例で説明した各構成は、相互に矛盾しない限り適宜組み合わせることができる。
【符号の説明】
【０１５４】
Ｍ  医療用実習装置
１１１  診療器具駆動検出部
１１ａ〜１１ｅ  診療器具
１２  フートコントローラ
２  人体模型
２ａ  頭部模型
２１，２１ａ，２１ｂ，２１ｃ  医療用実習模型
２１Ａ  上顎模型
２１０Ｓ，２１０Ｔ  歯牙模型
２１０ｃ  生体模型部品
２１１  センサ（処置検出部）
２１１Ａ  歯切削センサ
２１１ａ，２１１ｂ  センサ
２１３，２１３Ａ  情報保持部（記録媒体）
２１Ｐ，２１Ｑ，２１Ｒ  顎模型
３  診療台
４  情報処理装置
４１  ＰＣ
４１０  照合部
４１１  実習者ＩＤ情報取得部
４１２  識別情報取得部
４１３  実習シナリオ選択部
４１４  実習履歴情報取得部
４１５  評価部
４１６  書換制御部（データ書換部）
４２  表示部
４３  入力部
４４  評価入力部
４５  記憶部
５  表示部
６４  撮像部
６５  集音部
【図１】
0005811550.tif 000002
【図２】
0005811550.tif 000003
【図３】
0005811550.tif 000004
【図４】
0005811550.tif 000005
【図５】
0005811550.tif 000006
【図６】
0005811550.tif 000007
【図７】
0005811550.tif 000008
【図８】
0005811550.tif 000009
【図９】
0005811550.tif 000010